(57)【要約】【課題】貼り付け容易で、貼付時に違和感なく快適な温度で使用可能な温熱体の提供。【解決手段】袋中に酢酸ナトリウム水溶液及びトリガーを封入してなり、袋の厚みＤが０．５〜１cmであり、袋と皮膚との接触面積Ｓが５〜７０cm2であり、酢酸ナトリウム水溶液中の酢酸ナトリウムの濃度Ｃが０．４８〜０．６g/gであり、かつ式（１）０．１５≦Ｓ1/2×Ｄ×Ｃ5≦０．２５      （１）を満たす、人体に貼り付けて温湯に身体の一部又は全部を浸漬した状態で使用する温熱体。【選択図】なし【特許請求の範囲】
【請求項１】
袋中に酢酸ナトリウム水溶液及びトリガーを封入してなり、袋の厚みＤが０．５〜１cmであり、袋と皮膚との接触面積Ｓが５〜７０cm2であり、酢酸ナトリウム水溶液中の酢酸ナトリウムの濃度Ｃが０．４８〜０．５６g/gであり、かつ式（１）
０．１５≦Ｓ1/2×Ｄ×Ｃ5≦０．２５      （１）
を満たす、人体に貼り付けて使用する温熱体。
【請求項２】
温湯に身体の一部又は全部を浸漬した状態で使用するものである請求項１記載の温熱体。
【請求項３】
袋と皮膚との接触面積Ｓが２０〜７０cm2である請求項１又は２記載の温熱体。
【発明の詳細な説明】
【技術分野】
【０００１】
本発明は、温熱体に関する。
【背景技術】
【０００２】
皮膚の温度を高めて血行を促進するために、携帯用カイロ等が数多く知られているが、これらは接触した部位の皮膚温度を高めるだけで、皮膚の広い範囲の温度を高めるためには複数の携帯用カイロ等を要する。
広い範囲あるいは全身の血行を高めるには部分浴あるいは全身浴（以下「入浴」という）が有効であるが、効果を一層高めるために浴温をカイロのように高温にすることは難しい。
これらの問題を克服する方法として、浴室での局所温熱用組成物の使用が検討されており、例えば水和反応によって発熱する発熱物質を含有する局所温熱用組成物が知られている（特許文献１参照）。これは、シートを水中に浸漬又は水を供給して使用する発熱組成物で、例えば入浴時に温湯中で局所を温熱処理し、広い範囲にわたって温熱効果が得られる温熱用組成物である。しかし、発熱するためには水が必要であり、適用部位を常に浴水中に浸しておく必要があった。
鉄粉の酸化熱を利用した携帯用カイロを例えば入浴時に使用する場合は、浴水中での使用はもちろん浴水外の部位への使用であっても携帯用カイロが濡れてしまい発熱が停止、あるいは抑制される恐れがあった。
【０００３】
一方、携帯用カイロとしては酢酸ナトリウムを用いたヒートパックが知られている。これは、酢酸ナトリウム水和物の過冷却状態が安定であり、凝固点以下でも液体として存在でき、凝固点以下の過冷却状態において刺激を与えると結晶化（凝固）が起こり、凝固点まで温度が上昇するといった性質を利用したものであり、袋内に酢酸ナトリウム水和物と結晶化を促すトリガー（起爆材）を封入した形態で使用される（特許文献２参照）。
【特許文献１】特開平１１−３１８９６７号公報
【特許文献２】特許第１２８０５７５号公報
【発明の開示】
【発明が解決しようとする課題】
【０００４】
上記ヒートパックは、水和熱や酸化熱を使用した場合の不都合はなく入浴時に浴水内および浴水外の部位に適用可能であると考えられるが、ヒートパックを人体に貼付けて使用する場合は、凝固後固化した結晶が硬くて違和感がある、曲面の多い人体では貼りづらい、更に凝固点温度が高くて熱く感じるので貼り付けられない、などの問題点があった。
【０００５】
本発明は、貼り付け容易で、貼付時に違和感なく快適な温度で使用可能な温熱体を提供することを目的とする。
【課題を解決するための手段】
【０００６】
本発明者は、酢酸ナトリウム水和物を用いた発熱体の入浴中における使用性について種々の検討を行った結果、酢酸ナトリウムを特定の比率で含む発熱体とし、さらに発熱体の寸法を規定することで上記課題を解決できることを見出し、本発明を完成した。
【０００７】
すなわち、本発明は、袋中に酢酸ナトリウム水溶液及びトリガーを封入してなり、袋の厚みＤが０．５〜１cmであり、袋と皮膚との接触面積Ｓが５〜７０cm2であり、酢酸ナトリウム水溶液中の酢酸ナトリウムの濃度Ｃが０．４８〜０．５６g/gであり、かつ式（１）
０．１５≦Ｓ1/2×Ｄ×Ｃ5≦０．２５      （１）
を満たす、人体に貼り付けて温湯に身体の一部又は全部を浸漬した状態で使用する温熱体を提供するものである。
【発明の効果】
【０００８】
本発明によれば、入浴中に人体に直接貼り付けた場合に、快適な温度で、かつ貼り付け時の違和感のない発熱体を提供することができる。
【発明を実施するための最良の形態】
【０００９】
本発明の発熱体は特定の寸法の袋に酢酸ナトリウム水溶液及びトリガーを封入する。
本発明で用いられる袋の材質は、特に限定されず、例えばポリエチレン、ポリプロピレン、ポリオレフィン、ポリエステル、エチレンアクリル酸共重合体(EAA)、エチレンメタクリル酸共重合体(EMAA)、塩化ビニル等のプラスチックシートあるいはスチレン系、塩化ビニル系、オレフィン系、ウレタン系ポリアミド系等の熱可塑性エラストマー等を使用することができる。袋の材質は１種類あるいは２種類以上を組み合わせて使用しても良く、また袋は単層の他、多重層とすることもできる。
【００１０】
皮膚に貼り付けない一方の面は熱の拡散を抑制するために断熱材で覆うこともできる。
皮膚に貼り付ける面は粘着層を有しているが、袋に粘着剤が直接途工されている構造の他、袋に両面テープを用いて粘着させる方法を用いても良い。皮膚に粘着させる粘着層には殺菌剤、消炎剤、収斂剤、止血剤、鎮痛剤、ビタミン及びその誘導体、清涼剤、冷感剤、温感剤、動植物エキス、香料等を添加することができる。
【００１１】
温熱体の厚みＤ（cm）は、入浴と組み合わせて使用した場合の温熱感及び貼り付け感の観点から、０．５〜１cmであることが必要であるが、０．５〜０．９cmであることが好ましく、０．５〜０．８cmであることが更に好ましい。厚みが０．５cm未満では十分な発熱量が得られなく、温熱感が持続しない。他方、厚みが１cmを超えると、曲面の多い人体（例えば肩部）に貼り付けた際に十分追従できないために一部が剥がれたり、皮膚が引っ張られて使用感が悪くなる。ここで「厚み」とは、硬質の材料から出来た水平板上に温熱体を静置した時の厚みから充填袋、粘着剤層、剥離紙等の厚みを引いた内容物の厚みをいう。
【００１２】
また、温熱体の袋のサイズは、袋と皮膚との接触面積Ｓ（cm2）が７０cm2以下であるが、好ましくは、５〜７０cm2、面積２０〜６０cm2、特に好ましくは面積３０〜５０cm2である。面積が７０cm2を超えると曲面の多い人体（例えば肩部）に貼り付けた際に十分追従できないために一部が剥がれたり、皮膚が引っ張られて使用感が悪くなる。
【００１３】
本発明で用いられる酢酸ナトリウム水溶液中の酢酸ナトリウムの濃度Ｃ（g/g）は、温熱感の観点から０．４８〜０．５６であることが必要であるが、好ましくは０．５〜０．５６、特に好ましくは０．５１〜０．５４である。入浴と組み合わせて使用した場合には、０．４８より濃度が低い場合は発熱温度が低く、人体に適用したときにもの足りなく、０．５６より濃度が高い場合は発熱温度が高く、不快感がある。
【００１４】
使用する酢酸ナトリウムは無水物、水和物のいずれも用いることができるが、水和物が好ましく、さらに３水和物が好ましい。酢酸ナトリウムを過冷却状態とするためには、酢酸ナトリウムと水を混合した後加熱して酢酸ナトリウムを溶解させるか、酢酸ナトリウムと水を容器に充填後加熱して酢酸ナトリウムを溶解させる必要がある。あるいは、酢酸と水酸化ナトリウムの無水物または水溶液を混合して用いてもよい。この場合、中和反応により発熱が起こるため、この熱により混合物の温度が上昇して酢酸ナトリウムが溶解し、加温を要せず液体状態で取り扱う事ができる。
【００１５】
また、貼り付け感の観点から、袋の厚みＤ（cm）、袋と皮膚との接触面積Ｓ（cm2）、酢酸ナトリウム水溶液中の酢酸ナトリウムの濃度Ｃ（g/g）は、式（１）
０．１５≦Ｓ1/2×Ｄ×Ｃ5≦０．２５      （１）
を満たすことが必要となる。さらに好ましくは０．１８以上０．２３以下である。温熱体が式（１）を満たさないと温熱の持続が十分でないか、または凝固後固化した結晶が硬く使用感が悪くなる。
【００１６】
酢酸ナトリウムの結晶化を誘起するトリガーは、特に限定されず、例えば湾曲した構造を持ち、反転可能な金属片（特開平05-261127、特開2000-342619）、中央部を押すと凹入したのち弾性によって復元する湾曲した金属片（特開平01-164365、特開平03-37180）等を用いても良いし、金属製トリガーの代わりに結晶化剤を封入した小袋を酢酸ナトリウムを充填した袋内に更に封入した構造とし、結晶化剤を封入した小袋を破ることで凝固反応を進行させる方法（特開平02-109558）、あるいは袋を２つの部分に分け片方に酢酸ナトリウム水和物を主とする発熱組成物を封入し、もう１方の袋には結晶化剤を封入し、使用時にこの２つの袋を分けていた個所を開通させ、混合することで凝固反応を開始させる方法等を用いても良い。
【００１７】
本発明の温熱体には、酢酸ナトリウム水溶液及びトリガーの他に、例えば色素、粘度調整剤等を適宜配合できる。
【００１８】
本発明の温熱体は、人体に貼り付けて、温湯に身体の一部又は全部を浸漬した状態で使用するのに好適に用いられる。この方法により、局所及びその周辺部の比較的広い範囲で温熱効果が得られる。ここで「温湯に身体の一部又は全部を浸漬した状態」とは、例えば浴槽、桶、タライ等に張られた温湯に少なくとも身体の一部を浸漬した状態、の意であり、全身浴、半身浴、坐浴、手浴、足浴等を含む。例えば前腕部局所の温熱処理では、前腕部全体をタライ中の温湯に浸漬することをいう。温湯の温度は一般的に入浴する温度、３３〜４５℃であり、３５〜４３℃が好ましい。
身体の局所に特に制限はないが、例えば肩こり、腰痛等の患部等が挙げられる。温熱体は温湯に浸した部位に貼付しても良く、また温湯に浸していない部位に貼付しても良い。
【実施例】
【００１９】
エチレンメタクリル酸共重合体の厚さ２００μｍの袋状容器に溶解した酢酸ナトリウムと水の混合物及びトリガーとして反転可能な金属円盤（直径２ｃｍ、ステンレス製）を充填し、片面に剥離紙のついた両面粘着テープを貼り付けた。反転可能な金属円盤を反転させて、酢酸ナトリウムを結晶化、発熱を開始させ、軽く揉み解した後、剥離紙をはがして肩部に５分間貼り付け、４０℃５分間の入浴（腋下までの水位）をした時の温熱感と貼り付け感を評価した。その結果を表１に示す。
【００２０】
【表１】
2007136076.tif 000002
【００２１】
温熱感
○：適当な温熱を持続して感じる。
△：温度が高すぎ、やや不快感がある。
×：温熱が不十分、又は温熱感が持続しない。
貼付け感
○：貼り付け時に違和感なく、かつはがれも生じない。
×：温熱体が硬くなり貼り付け部位に違和感を感じる、又ははがれを生じる。
【００２２】
実施例１〜３では温熱感、貼り付け感ともに良好であった。一方、比較例１では、温熱体が硬くなってしまうため貼り付けた部位は不快であった。比較例２、３では温熱感は十分であったが、周辺部にはがれを生じて貼り付け感は良くなかった。比較例４では貼り付け感は良好で貼り付け直後の温熱感も良好であったが、温感の持続性がなく、すぐに温感を感じなくなった。